(57)【要約】  【課題】  いわゆるマルチステーション型のメダルプッシャーゲームにおいて、他人の投入したメダルを獲得可能にするとともに、自分の投入したメダルが他人に獲得される可能性のある遊技性を可能とする。  【解決手段】  外周が等分割されその各々がプレイヤー領域20として設定されている筐体11と、ターンテーブル状のプレイフィールド30と、メダル投入口21と、各メダル投入口21に対応して設けられそこから投入されたメダルＭを前記プレイフィールド30へ投入するメダル投入ユニット40と、プレイフィールド30の中央から辺縁31までの距離の所定範囲を往復摺動することでメダルＭを辺縁31方向へ押し出すとともに、プレイフィールド20上でプレイヤー領域20の数と同数に等配されているプッシャー35と、プレイフィールド30の辺縁31から落下したメダルＭを払い出すメダル払出口22とを備え、プッシャー35は、プレイフィールド30の回転とともに水平に回転する。  【選択図】  図１
2006129890.tif 000002
【特許請求の範囲】
【請求項１】
外周が等分割されその各々がプレイヤー領域として設定されている筐体と、
前記筐体の中心に設けられる水平に回転するターンテーブル状のプレイフィールドと、
前記各プレイヤー領域に設けられるメダル投入口と、
前記各メダル投入口に対応して設けられ、かつ、同メダル投入口から投入されたメダルを前記プレイフィールドへ投入するメダル投入ユニットと、
前記プレイフィールドの中央から同プレイフィールドの辺縁までの距離のうちの所定範囲を往復摺動することで同プレイフィールド上のメダルを同辺縁方向へ押し出すとともに、同プレイフィールド上で前記プレイヤー領域の数と同数に等配されているプッシャーと、
前記各プレイヤー領域に設けられるとともに、前記プレイフィールドの辺縁から落下したメダルを払い出すメダル払出口とを備えたメダルプッシャーゲーム装置であって、
前記プッシャーは、前記プレイフィールドの回転とともに水平に回転することを特徴とするメダルプッシャーゲーム装置。
【請求項２】
前記プレイフィールドから落下するメダルにより作動する落下作動装置と、
前記筐体内において各プレイヤー領域に対応して設けられる複数の画像表示手段とを備えるとともに、
前記落下作動装置の作動により所定のサブゲームが前記画像表示手段により実行され、その結果に応じてプレーヤーに所定の利益状態が提供されること特徴とする請求項１記載のメダルプッシャーゲーム装置。
【請求項３】
前記落下作動装置は、前記プレイフィールドから落下するメダルにより押圧されるレバーを備えたことを特徴とする請求項２記載のメダルプッシャーゲーム装置。
【請求項４】
各プレイヤー領域に対応して、メダルの払い出しが可能なボーナス払出ユニットを備えるとともに、
前記所定の利益状態とは、このボーナス払出ユニットによる所定枚数のメダルの払い出しであることを特徴とする請求項２又は３記載のメダルプッシャーゲーム装置。
【発明の詳細な説明】
【技術分野】
【０００１】
本発明は、複数人が同時にプレイ可能なメダルプッシャーゲーム装置に関する。
【背景技術】
【０００２】
従来、いわゆるメダルプッシャーゲームという遊技装置が提供されている。このメダルプッシャーゲームとは、筐体内のプレイフィールド上に、プッシャーと称する、往復運動をする押し板状の装置が設けられているものである。
このようなメダルプッシャーゲームでは、プレイヤーがメダルを投入するとプレイフィールド上にこれが堆積する。そして、堆積したメダルが、プッシャーの往復運動により、プレイフィールドの縁から落下すると、この落下したメダルはプレイヤーに払い出される。このような遊技装置として、特許文献１及び特許文献２記載の技術が開示されている。
また、近年では、筐体がたとえば六角形のような多角形の平面形状に形成され、その各々の周囲にプレイヤーが立つか、又は座ってプレイすることができるように形成されるとともにその各々にメダル投入口又はメダル投入装置が設けられることで、一度に複数のプレイヤーが一台の筐体で遊技が同時にできるように形成された、いわゆるマルチステーション型のメダルプッシャーゲームも提供されている。このような型の遊技装置においては、各プレイヤーに対応したプッシャーが用意され、自分用に割り当てられた扇状のプレイフィールド上にメダルを投入して、それを自分用のプッシャーが押し出すことで、払い出しがなされることとなっている。
【特許文献１】特許第３５２７７２２号公報
【特許文献２】特開２００３−１４４７４１号公報
【発明の開示】
【発明が解決しようとする課題】
【０００３】
上述の通り、従来のいわゆるマルチステーション型のメダルプッシャーゲームでは、各プレーヤーごとのプレイフィールドが截然と分割されており、遊技の範囲がその範囲に限られることで、遊技の感興が限定されることとなっていた。
そこで本発明は、いわゆるマルチステーション型のメダルプッシャーゲームにおいて、他人の投入したメダルを獲得可能にするとともに、自分の投入したメダルが他人に獲得される可能性のある遊技性を可能とすることで、そのような型の遊技装置における遊技の感興を増すことを課題とする。
【課題を解決するための手段】
【０００４】
上記課題に鑑み、本発明は、外周が等分割されその各々がプレイヤー領域20として設定されている筐体11と、前記筐体11の中心に設けられる水平に回転するターンテーブル状のプレイフィールド30と、前記各プレイヤー領域20に設けられるメダル投入口21と、前記各メダル投入口21に対応して設けられ、かつ、同メダル投入口21から投入されたメダルＭを前記プレイフィールド30へ投入するメダル投入ユニット40と、前記プレイフィールド30の中央から同プレイフィールド30の辺縁31までの距離のうちの所定範囲を往復摺動することで同プレイフィールド30上のメダルＭを同辺縁31方向へ押し出すとともに、同プレイフィールド20上で前記プレイヤー領域20の数と同数に等配されているプッシャー35と、前記各プレイヤー領域20に設けられるとともに、前記プレイフィールド30の辺縁31から落下したメダルＭを払い出すメダル払出口22とを備えたメダルプッシャーゲーム装置10であって、前記プッシャー35は、前記プレイフィールド30の回転とともに水平に回転することを特徴とする。
【０００５】
すなわち、本発明に係るメダルプッシャーゲーム装置10では、筐体11周囲が複数に等分割（望ましくは六等分）され、そのそれぞれにメダル投入口21とメダル払出口22が設けられており、そのそれぞれの分割された領域でプレイヤーがプレイ可能となっている。
また、筐体11の中央部には、各プレイヤーに共有されるプレイフィールド30が設けられている。このプレイフィールド30上には、前記分割された領域の数に対応したプッシャー35が設けられている。このプッシャー35は、この分割された領域と同様の間隔で等配されている。しかし、各プッシャー35は、プレイフィールド30とともに周方向に回転するため、各プッシャー35は特定のプレイヤーに専用されるものではない。
【０００６】
本発明に係るメダルプッシャーゲーム装置10は、以下のように作用する。
各メダル投入口21から投入されたメダルＭは、メダル投入ユニット40を通じて、プレイフィールド30へ投入される。投入されたメダルＭはプレイフィールド30上へ落下し、そこで堆積する。ここで、プレイフィールド30は水平に回転しているので、この堆積したメダルＭは他のプレイヤー領域20の方へ回転移動して行く。
一方、プレイフィールド30上では、プッシャー35が径方向へ往復摺動し、これによりメダルＭが辺縁31に向かって押し出され、そこから筐体11外壁との間隙を通じて落下することになる。落下したメダルＭは直近のメダル払出口22からプレーヤーに払い出される。ここで、プッシャー35はプレイフィールド30とともに周方向へ回転している。これにより、あるプレイヤーの投入したメダルＭが他のプレイヤーへのプレイヤー領域20まで運ばれ、そこから当該他のプレイヤーに払い出されることもあり得る。
【０００７】
また、本発明に係るメダルプッシャーゲーム装置10においては、前記プレイフィールド30から落下するメダルＭにより作動する落下作動装置と、前記筐体11内において各プレイヤー領域20に対応して設けられる複数の画像表示手段53とを備えるとともに、前記落下作動装置の作動により所定のサブゲームが前記画像表示手段53により実行され、その結果に応じてプレーヤーに所定の利益状態が提供されることとしてもよい。
この落下作動装置は、たとえば、前記プレイフィールド30から落下するメダルＭにより押圧されるレバー52を備えたものとして形成することができる。この場合、このレバー52が落下するメダルＭにより押圧されると、この押圧を検出して落下作動装置が作動することになる。
【０００８】
一方、この落下作動装置は、たとえば、前記プレイフィールド30から落下するメダルＭが通過可能なゲートを備えたものとして形成することもできる。この場合、プレイフィールド30から落下するメダルＭがこのゲートを通過すると、この通過を検出して落下作動装置が作動することになる。
上記のレバー52又はゲートのいずれの場合であっても、作動した落下作動装置は、たとえばその検出信号を画像表示手段53（又はこれを制御する制御装置）に送信することで、これを契機に画像表示手段53により所定のサブゲームが実行されることになる。
たとえば、プレイフィールド30から落下するメダルＭによってレバー52が押圧されると、液晶画面、ドットマトリクスその他による画像表示手段53で、たとえば、スロットマシンのリールが変動表示する様子を表示させることができる。そして、その変動表示の結果、たとえば特定の図柄で停止したような場合には、その画像表示手段53が位置するプレイヤー領域20において、当該プレイヤーに所定の利益状態が提供されることになる。
【０００９】
この所定の利益状態としては、たとえば、各プレイヤー領域20に対応して、メダルＭの払い出しが可能なボーナス払出ユニット45を備えて、当該プレイヤーに所定間指数のボーナスメダルを払い出したりするようなことが考えられる。また、一定時間の間、当該プレイヤー領域20に回ってきたプッシャー35の往復ピッチを通常より大きくすることで落下するメダルＭを多くする、ということも考えられる。
【発明の効果】
【００１０】
本発明は上記の通り構成されているので、いわゆるマルチステーション型のメダルプッシャーゲームにおいて、他人の投入したメダルを獲得可能にするとともに、自分の投入したメダルが他人に獲得される可能性のある遊技性を可能とすることで、そのような型の遊技装置における遊技の感興を増すことが可能となる。
【発明を実施するための最良の形態】
【００１１】
以下、本発明の１の実施の形態を、図面を参照しつつ説明する。
図１は、本実施の形態に係るメダルプッシャーゲーム装置10の外観を示す斜視図である。また、図２から図５までは、本実施の形態に係るメダルプッシャーゲーム装置10の動作を正面図（図２及び図３）並びに上方斜視図（図４及び図５）にて示したものである。
本実施の形態に係るメダルプッシャーゲーム装置10は、平面視で六角形を呈しており、その各辺に当たる側面がそれぞれプレイヤー領域20として設定されている。各プレイヤー領域20には、メダル投入口21とメダル払出口22とが設けられている。メダル払出口22は、メダル投入口21の下方に設けられている。プレイヤーは、ここに払い出されたメダルＭを手でつかんで、メダル投入口21へ運び、ここからメダルＭが筐体11内に投入される。
【００１２】
メダル投入口21は、受け皿状を呈しており、その両側にある図示しないスリットからメダルＭが挿入できるようになっている。挿入されたメダルＭは、筐体11内に６基設けられているメダル投入ユニット40内の図示しないホッパーにより、樋状のシューター41を通じて筐体11内に投入される。
筐体11内中央には、円形ターンテーブルによるプレイフィールド30が設置され、筐体11側面の透明なアクリル板12を通して外から視認される。プレイフィールド30中央には、天蓋33を備えたプッシャーユニット32が載置される。プッシャーユニット32は、プレイフィールド30とともに、平面視で反時計回りに、すなわちプレイヤーの視点で左から右へ回転する。プッシャーユニット32には、放射状に６基のプッシャー35が等配されている。各プッシャー35は、プッシャーユニット32に対し出入り可能に形成された２本のロッド38、38（図５参照）によりそれぞれプッシャーユニット32と連結されている。また、プッシャー35は、半径方向に対して垂直な押出面36を有しており、この押出面36によってプレイフィールド30上のメダルＭを押し出して辺縁31より落下させる。さらに、個々のプッシャー35の上面には、木馬をかたどった装飾体37が装着されている。
【００１３】
プレイフィールド30が回転することにより、プッシャー35も同様に各プレイヤー領域20間を移動しつつ回転をする。すなわち、ある時点では図２に示すようにプレイヤー領域20正面にプッシャー35が位置する。この状態から平面視で３０°回転すると、図３に示すようにプッシャー35は各プレイヤー領域20のちょうど中間に位置することとなる。
すなわち、プッシャー35は、プレイフィールド30とともに各プレイヤー領域20間を移動しつつ、径方向に往復摺動する。たとえば、図３に示すようにプッシャー35がプレイヤー領域20間に位置する状態においては、図４に示すようにプッシャー35が最も奥に引っ込んだ状態にあり、ここから図２に示すようなプッシャー35がプレイヤー領域20正面に位置する状態まで移動してきた際には、図５に示すようにプッシャー35が最も手前に出て来た状態になりメダルＭを押し出す、というような動作が可能となっている。もちろん、プレイフィールド30の回転周期とプッシャー35の往復周期とを同期させないことで、プッシャー35が最も手前に出て来るタイミングを読みにくくするように設定することも可能である。
【００１４】
プレイフィールド30の下方の周辺には、各プレイヤー領域20に対応して六等分された第２プレイフィールド50が設けられている。
第２プレイフィールド50には、プレイフィールド30から落下したメダルＭが堆積する。ここで、プレイフィールド30は常に回転しているので、あるプレイヤーが投入したメダルＭが他のプレイヤーのプレイヤー領域20の方へ移動していき、そこでプッシャー35によって押し出されて、当該他のプレイヤーの第２プレイフィールド50へ落下することがあり得る。そして、プッシャーユニット32の下方奥側から、手前側までの所定範囲を往復摺動する第２プッシャー51が各第２プレイフィールド50に設けられている。すなわち、第２プッシャー51は、図４に示すような奥側に最も引っ込んだ状態から、図５に示すような手前側に最も出て来た状態までの間を、往復摺動する。そして、図５に示すように、第２プッシャー51に押し出されて第２プレイフィールド50の辺縁31から落下したメダルＭは、当該プレイヤー領域20のメダル払出口22へ至り、プレイヤーに払い出されることになる。
【００１５】
一方、プレイフィールド30と第２プレイフィールド50との段差に当たる垂直面には、プレイヤーが正面から視認可能なドットマトリクス画面による画像表示手段53が設けられている。さらに、プレイフィールド30の辺縁31の直下には、各プレイヤー領域20につき２箇所、舌片状のレバー52、52が設けられている。このレバー52は、プレイフィールド30の辺縁31から落下するメダルＭにより叩くようにして押圧される（図５参照）。レバー52が押圧されると、図示しない落下作動装置がこの押圧を検出し、その検出信号を図示しない遊技制御手段（遊技プログラムを実行するＣＰＵ）へ送信する。これを契機にして、この遊技制御手段は所定の遊技プログラムを実行することで、画像表示手段53において、スロットマシンのリールの変動表示を模した画像により展開されるサブゲームが実行される。そして、その結果表示される図柄が所定のもの（たとえば、「７７７」など）である場合には、各プレイヤー領域20について向かって右側に位置するメダル投入ユニット40に接して設けられるボーナス払出ユニット45（図４及び図５参照）からノズル46を通じて第２プレイフィールド50上へボーナスメダルが払い出される。これにより、各プレイヤー領域20で獲得可能なメダル数が増大するという利益状態が当該プレイヤーへもたらされることとなる。
【図面の簡単な説明】
【００１６】
【図１】本発明の１の実施の形態に係るメダルプッシャーゲーム装置の外観を示す斜視図である。
【図２】本発明の１の実施の形態に係るメダルプッシャーゲーム装置の動作を正面図にて示したものである。
【図３】本発明の１の実施の形態に係るメダルプッシャーゲーム装置の動作を正面図にて示したものである。
【図４】本発明の１の実施の形態に係るメダルプッシャーゲーム装置の動作を上方斜視図にて示したものである。
【図５】本発明の１の実施の形態に係るメダルプッシャーゲーム装置の動作を上方斜視図にて示したものである。
【符号の説明】
【００１７】
10  メダルプッシャーゲーム装置
11  筐体                  12  アクリル板
20  プレイヤー領域        21  メダル投入口
22  メダル払出口
30  プレイフィールド      31  辺縁
32  プッシャーユニット    33  天蓋
35  プッシャー            36  押出面
37  装飾体                38  ロッド
40  メダル投入ユニット    41  シューター
45  ボーナス払出ユニット  46  ノズル
50  第２プレイフィールド  51  第２プッシャー
52  レバー                53  画像表示手段
Ｍ  メダル
【図１】
2006129890.tif 000003
【図２】
2006129890.tif 000004
【図３】
2006129890.tif 000005
【図４】
2006129890.tif 000006
【図５】
2006129890.tif 000007